(57)【要約】  【課題】無線ＬＡＮを構成する複数のＡＰ（アクセスポイント）のうち所望のＡＰからのビーコン信号の信号強度を正確且つ容易に測定・表示することのできる装置の提供。  【解決手段】本発明にかかる無線ＬＡＮ用信号強度測定装置10は、複数のＡＰから送信される信号を受信して、指定されたＥＳＳＩＤを含む信号を選択し、当該選択された信号からＡＰを識別するＢＳＳＩＤとそのＡＰからの信号強度とを得る通信部13と、前記ＡＰを識別するＢＳＳＩＤとそのＡＰからの信号強度とを関連付けて記憶するメモリ11と、信号強度を表示する信号強度表示部12と、所望のＡＰを設定するＡＰ設定手段14と、前記ＡＰ設定手段が有効な状態の場合には、前記所望のＡＰからの信号の信号強度を前記信号強度表示部12に表示し、前記ＡＰ設定手段が無効な状態の場合には、前記メモリから最も強い信号を送信しているＡＰからの信号の信号強度を前記信号強度表示部12に表示する制御手段15とを備えている。【選択図】      図１
2006238272.tif 000002
【特許請求の範囲】
【請求項１】
複数のアクセスポイントから送信される信号を受信して、指定されたＥＳＳＩＤを含む信号を選択し、当該選択された信号からアクセスポイントを識別するＢＳＳＩＤとそのアクセスポイントからの信号強度とを得る通信部と、
前記アクセスポイントを識別するＢＳＳＩＤとそのアクセスポイントからの信号強度とを関連付けて記憶するメモリと、
信号強度を表示する信号強度表示部と、
所望のアクセスポイントを設定するアクセスポイント設定手段と、
前記アクセスポイント設定手段が有効な状態の場合には、前記所望のアクセスポイントからの信号の信号強度を前記信号強度表示部に表示し、前記アクセスポイント設定手段が無効な状態の場合には、前記メモリから最も強い信号を送信しているアクセスポイントからの信号の信号強度を前記信号強度表示部に表示する制御手段と
を備えていることを特徴とする無線ＬＡＮ用信号強度測定装置。
【請求項２】
前記アクセスポイント設定手段は、アクセスポイント設定ボタンを押下すると、前記制御手段によって押下時において最も強いビーコン信号を発信しているアクセスポイントのＢＳＳＩＤを抽出することで、所望のアクセスポイントを設定するように構成されていることを特徴とする請求項１に記載の無線ＬＡＮ用信号強度測定装置。
【発明の詳細な説明】
【技術分野】
【０００１】
本発明は、無線ＬＡＮ用信号強度測定装置に関するものである。
【背景技術】
【０００２】
無線ＬＡＮでは、アクセスポイント（以後、単にＡＰという。）から所定の強度以上の信号を受信できる範囲内に、端末が設置されている必要があるので、ＡＰからの信号の強度を端末側で測定して表示する技術が提案されている。
また、端末が広範囲で移動できるように、複数のＡＰに同一のネットワーク識別符号（ＥＳＳＩＤ（Extended Service Set ID)）を使用する無線ＬＡＮシステムが提案されている。
このようなシステムに対応するように、同一のＥＳＳＩＤが付与されている複数のＡＰからの信号を取得し、ＡＰの識別情報とそのＡＰからの信号強度をメモリに記憶し、最も強い信号強度を抽出し、表示する技術が特許文献１にて提案されている。
【０００３】
【特許文献１】特開２００４−２２９２２５号公報
【発明の開示】
【発明が解決しようとする課題】
【０００４】
複数のＡＰに同一のネットワーク識別符号（ＥＳＳＩＤ）を扶養する無線ＬＡＮシステムの例を、図４を参照して説明する。
図４のシステムは、３つのＡＰ（第１のＡＰ60、第２のＡＰ70、第３のＡＰ80）が設置されている。
位置Ａに設置された端末50は、第１のＡＰ60〜第３のＡＰ80からそれぞれ送信される各ビーコン信号を受信し、ＡＰの識別情報であるＥＳＳＩＤと、そのＡＰからのビーコン信号の信号強度を関連づけてメモリ51に記憶する。位置Ａにおいては、第１のＡＰ60から送信されるビーコン信号が最も強いから信号強度表示部52には、第１のＡＰ60から送信されるビーコン信号の信号強度が表示される。
端末50が位置Ｂに移動すると、端末50で受信される第１のＡＰ60〜第３のＡＰ80からの信号の受信強度は、第２のＡＰ70からのビーコン信号が最も強く、信号強度表示部52に示される信号強度は、第２のＡＰ70からのビーコン信号を示すものとなる。
このように、従来の端末でＡＰからの信号強度を測定すると、測定者が意識しないところで、測定対象（表示対象）となるＡＰが切り替わってしまうので、正確にＡＰ毎に信号強度を測定・表示することができなかった。
ＡＰ毎の信号強度を測定するためには、各ＡＰに付与される16進数、12桁のＭＡＣアドレス（ＢＳＳＩＤ(Basic Service Sets ID)）でＡＰを識別する必要が有り、そのためには、端末にキーボードを設ける等して、ＢＳＳＩＤを入力する手段を備える必要が有る。しかし、キーボードを備えて、それを操作してＢＳＳＩＤを入力すること等は煩雑であり、専門知識を有しない人にとっては困難であった。
【０００５】
そこで、本発明は、無線ＬＡＮを構成する複数のＡＰのうち所望のＡＰからのビーコン信号の信号強度を正確且つ容易に測定・表示することのできる装置の提供を目的としてなされたものである。
【課題を解決するための手段】
【０００６】
本発明にかかる請求項１の無線ＬＡＮ用信号強度測定装置においては、
複数のアクセスポイントから送信される信号を受信して、指定されたＥＳＳＩＤを含む信号を選択し、当該選択された信号からアクセスポイントを識別するＢＳＳＩＤとそのアクセスポイントからの信号強度とを得る通信部と、
前記アクセスポイントを識別するＢＳＳＩＤとそのアクセスポイントからの信号強度とを関連付けて記憶するメモリと、
信号強度を表示する信号強度表示部と、
所望のアクセスポイントを設定するアクセスポイント設定手段と、
前記アクセスポイント設定手段が有効な状態の場合には、前記所望のアクセスポイントからの信号の信号強度を前記信号強度表示部に表示し、前記アクセスポイント設定手段が無効な状態の場合には、前記メモリから最も強い信号を送信しているアクセスポイントからの信号の信号強度を前記信号強度表示部に表示する制御手段と
を備えている。
請求項２では、
前記アクセスポイント設定手段は、アクセスポイント設定ボタンを押下すると、前記制御手段によって押下時において最も強いビーコン信号を発信しているアクセスポイントのＢＳＳＩＤを抽出することで、所望のアクセスポイントを設定するように構成した。
【発明の効果】
【０００７】
本発明にかかる無線ＬＡＮ用信号強度測定装置では、
同一の無線ＬＡＮ内における複数のアクセスポイントから送信される信号を受信して、指定されたＥＳＳＩＤを含む信号を選択し、当該選択された信号からアクセスポイントを識別するＢＳＳＩＤとそのアクセスポイントからの信号強度とを得る通信部と、
前記アクセスポイントを識別するＢＳＳＩＤとそのアクセスポイントからの信号強度とを関連付けて記憶するメモリと、
信号強度を表示する信号強度表示部と、
所望のアクセスポイントを設定するアクセスポイント設定手段と、
前記アクセスポイント設定手段が有効な状態の場合には、前記所望のアクセスポイントからの信号の信号強度を前記信号強度表示部に表示し、前記アクセスポイント設定手段が無効な状態の場合には、前記メモリから最も強い信号を送信しているアクセスポイントからの信号の信号強度を前記信号強度表示部に表示する制御手段と
を備えているので、
前記アクセスポイント設定手段が無効な状態では、前記メモリから最も強い信号を送信しているアクセスポイントからの信号の信号強度を前記信号強度表示部に表示するが、
前記アクセスポイント設定手段が有効な状態では、前記設定した所望のアクセスポイントからの信号の信号強度が最も強くなくなっても、前記設定した所望のアクセスポイントからの信号の信号強度を前記信号強度表示部に表示する。
従って、容易に所望のアクセスポイント毎の信号強度を測定することができる。
【発明を実施するための最良の形態】
【０００８】
以下に、本発明にかかる無線ＬＡＮ用信号強度測定装置を、その実施の形態を示した図面に基づいて詳細に説明する。
本発明にかかる無線ＬＡＮ用信号強度測定装置は、各ＡＰ（アクセスポイント）から送信されるビーコン信号を受信し、指定されたＥＳＳＩＤを含む信号を取得する通信部と、ＡＰを識別するＢＳＳＩＤと、そのＡＰからの信号強度とを関連付けて記憶するメモリと、信号強度を表示する信号強度表示部と、制御手段と、ＡＰ設定ボタンを有することを特徴とする。
前記ＡＰ設定ボタンは、測定対象となるＡＰを特定するものであり、押下すると有効な状態となり、解除すると無効な状態となる。このＡＰ設定ボタンが押下されると、制御手段によって押下時において最も強いビーコン信号を発信しているＡＰを抽出し、当該ＡＰのＢＳＳＩＤを指定してメモリに記憶する。
以後、ＡＰ設定ボタンが解除されるまで、無線ＬＡＮ用信号強度測定装置は、指定されたＡＰの信号強度をメモリから抽出して、信号強度表示部に表示する。
【実施例１】
【０００９】
以下に、本発明の実施例を、図１、２、３を参照して説明する。
図１において、10は無線ＬＡＮ用の端末としての無線ＬＡＮ用信号強度測定装置、11は前記無線ＬＡＮ用信号強度測定装置10に内蔵されたメモリ、12は前記無線ＬＡＮ用信号強度測定装置10に具備された信号強度表示部、13は各ＡＰから送信されるビーコン信号を受信し、指定されたＥＳＳＩＤを含む信号を取得する通信部、14はＡＰ設定ボタン、15は制御手段である。
図３に示したように、無線ＬＡＮ内には３つのＡＰ（第１のＡＰ60、第２のＡＰ70、第３のＡＰ80）が設置され、端末としての無線ＬＡＮ用信号強度測定装置10は前記無線ＬＡＮ用の端末であり、この無線ＬＡＮ内で移動可能となっている。
前記第１のＡＰ60、第２のＡＰ70、第３のＡＰ80は、各々ビーコン信号を送信し、各ビーコン信号には、同一のネットワークを示す同一のＥＳＳＩＤと、送信元を示すＡＰ毎に異なるＢＳＳＩＤとが書き込まれている。
【００１０】
前記無線ＬＡＮ用信号強度測定装置10によって第１のＡＰ60から送信される信号の信号強度を測定したい場合には、無線ＬＡＮ用信号強度測定装置10を第１のＡＰ60の至近の第１のＡＰ60（位置Ａ）に設置し、ＡＰ設定ボタン14を押下する。このとき、無線ＬＡＮ用信号強度測定装置10の通信部13はメモリ11から最も強い信号を送信しているＢＳＳＩＤを抽出して、メモリ11に記憶する。この場合、無線ＬＡＮ用信号強度測定装置10は第１のＡＰ60の至近の位置に設置されているから、抽出されるＢＳＳＩＤは、第１のＡＰ60のものとなっている。このようにして、前記ＢＳＳＩＤに対応したアクセスポイントを設定する。
【００１１】
以後、ＡＰ設定ボタン14が押下された状態では、信号強度表示部12には、第１のＡＰ60から送信されるビーコン信号の信号強度が表示される。
例えば、無線ＬＡＮ用信号強度測定装置10が位置Ｂに移動し、端末で受信される信号強度が第１のＡＰ60から送信されるものより、第２のＡＰ70から送信されるものの方が強い場合であっても、前記ＢＳＳＩＤに対応したアクセスポイントが設定されているので、信号強度表示部12には第１のＡＰ60から送信されるビーコン信号の強度が示される。
【００１２】
また、ＡＰ設定ボタン14が解除されると、アクセスポイントの設定は解除されるので、信号強度表示部12には、メモリ11から最も強い信号を送信しているＡＰからの信号強度が表示される。
例えば、無線ＬＡＮ用信号強度測定装置10が位置Ｂに配置された状態で、ＡＰ設定ボタン14が解除されると、信号強度表示部12には第２のＡＰ70から送信される信号の信号強度が表示される。
【００１３】
図２のフローチャートに示したように、
ステップＳ１において、通信部13は指定されたＥＳＳＩＤを含む信号を取得する。
ステップＳ２では、メモリ11はＢＳＳＩＤの信号強度を記憶し、データベース化する。
ステップＳ３では、ＡＰ設定ボタン14が押下されているか否かをチェックする。押下されているとステップＳ６へ進み、押下されていないとステップＳ４へ進む。前述したように、無線ＬＡＮ用信号強度測定装置10を第１のＡＰ60の至近の第１のＡＰ60（位置Ａ）に設置した状態で、ＡＰ設定ボタンを押下する。
ステップＳ４では、制御手段15はメモリ11から最も信号強度の強いＢＳＳＩＤを抽出する。
ステップＳ５では、ＥＳＳＩＤの信号強度を信号強度表示部12に表示する。
【００１４】
ステップＳ６では、制御手段15はメモリ11から最も強い信号強度のＢＳＳＩＤを抽出する。
ステップＳ７では、前記ステップＳ６で抽出したＢＳＳＩＤをメモリ11に記憶する。
ステップＳ８では、制御手段15はメモリ11に記憶されているＢＳＳＩＤの信号強度を抽出する。このとき、取得したＢＳＳＩＤが前記ステップＳ６で抽出されたＢＳＳＩＤと一致しているか否かを確認し、一致していなければ再度ステップＳ８を繰り返す。
ステップＳ９では、前記ステップＳ６で抽出したＢＳＳＩＤの信号強度を信号強度表示部12に表示する。
従って、ＡＰ設定ボタン14が押下されていると、例えば、無線ＬＡＮ用信号強度測定装置10が位置Ｂに移動し、その場所で受信される信号強度が第１のＡＰ60から送信されるものより、第２のＡＰ70から送信されるものの方が強い場合であっても、信号強度表示部12には第１のＡＰ60から送信されるビーコン信号の強度が示されるのである。
【図面の簡単な説明】
【００１５】
【図１】本発明にかかる無線ＬＡＮ用信号強度測定装置の実施の形態のブロック図である。
【図２】本発明にかかる無線ＬＡＮ用信号強度測定装置の実施の形態におけるフローチャートである。
【図３】前記無線ＬＡＮ用信号強度測定装置の動作説明図である。
【図４】従来の無線ＬＡＮシステムの例の説明図である。
【符号の説明】
【００１６】
10  無線ＬＡＮ用信号強度測定装置
11  メモリ
12  信号強度表示部
13  通信部
14  アクセスポイント設定ボタン、アクセスポイント設定手段、ＡＰ設定ボタン、ＡＰ設定手段
15  制御手段
60  アクセスポイント、ＡＰ（第１のＡＰ）
70  アクセスポイント、ＡＰ（第２のＡＰ）
80  アクセスポイント、ＡＰ（第３のＡＰ）
【図１】
2006238272.tif 000003
【図２】
2006238272.tif 000004
【図３】
2006238272.tif 000005
【図４】
2006238272.tif 000006